(57)【特許請求の範囲】
【請求項１】
第１と第２の下階建物ユニットを並置し、これら下階建物ユニットのそれぞれの上に第１と第２の上階建物ユニットのそれぞれを搭載し、それら下階建物ユニットにそれら上階建物ユニットを接合してなるユニット建物において、
第１と第２の下階建物ユニットのそれぞれの側面にくびれ部付き突起部を設けるとともに、それら下階建物ユニットのそれぞれに設けた各突起部のくびれ部に係着し得る一対の係合部を備えた接合金物を用い、
第１と第２の上階建物ユニットのそれぞれの側面にくびれ部付き突起部を設けるとともに、それら上階建物ユニットのそれぞれに設けた各突起部のくびれ部に係着し得る一対の係合部を備えた接合金物を用い、
第１と第２の下階建物ユニットの間に接合金物を差し込み、接合金物の両係合部のそれぞれを第１と第２の下階建物ユニットの各突起部のくびれ部に係着するとともに、第１と第２の上階建物ユニットの間に接合金物を差し込み、接合金物の両係合部のそれぞれを第１と第２の上階建物ユニットの各突起部のくびれ部に係着した状態で、それらの両接合金物を連結ボルトで締結してなることを特徴とするユニット建物。
【請求項２】
前記第１と第２の下階建物ユニットの柱下部に柱脚金物が設けられ、この柱脚金物にくびれ部付き突起部が設けられるとともに、
前記第１と第２の下階建物ユニットの柱上部に柱頭金物が設けられ、この柱頭金物にくびれ部付き突起部が設けられてなる請求項１記載のユニット建物。
【請求項３】
前記柱脚金物が前記柱下部に釘打ち固定され、前記柱頭金物が前記柱上部に釘打ち固定されてなる請求項２記載のユニット建物。
【請求項４】
前記第１と第２の下階建物ユニットのそれぞれに係着せしめられる接合金物が、該金物下端部に連結ボルト締結面を備え、前記第１と第２の上階建物ユニットのそれぞれに係着せしめられる接合金物が、該金物上端部に連結ボルト締結面を備えてなる請求項１〜３のいずれかに記載のユニット建物。
【請求項５】
前記接合金物が、前記突起部の突起部のくびれ部に係着する係合部と、該接合金物の前記差し込み方向の外縁に開口して該突起部のくびれ部を係合部に導入する導入溝とを備えてなる請求項１〜４のいずれかに記載のユニット建物。
【発明の詳細な説明】
【０００１】
【発明の属する技術分野】
本発明は、建物ユニット等を被接合部材とする接合構造及びユニット建物に関する。
【０００２】
【従来の技術】
ユニット建物では、床構造体の上部に壁パネルもしくは柱を立設した建物ユニットを工場生産し、この建物ユニットを建築現場に輸送し、複数の建物ユニットを基礎の上に据付け、下階建物ユニットの上に上階建物ユニットを据付け、建物の全体を構築することとしている。
【０００３】
然るに、建物ユニットを基礎の上に据付けるに際しては、特開昭54-147113 号公報に記載の如く、建物ユニットの床梁もしくは柱脚部に設けてあるボルト挿通孔を基礎に植設してあるアンカーボルトに嵌合するように建物ユニットを鉛直に吊り降ろし、その床梁もしくは柱脚部をアンカーボルトに固定することとしている。
【０００４】
また、上階建物ユニットを下階建物ユニットの上に据付けるに際しても、上階建物ユニットの床梁もしくは柱脚部に設けてあるボルト挿通孔を下階建物ユニットの天井梁もしくは柱頭部に設けてある螺合部に合致させるように上階建物ユニットを吊り降ろし、上階建物ユニット側のボルト挿通孔に挿通されるボルトを下階建物ユニット側の螺合部に螺着することとしている。
【０００５】
【発明が解決しようする課題】
然しながら、従来技術には以下の問題点がある。
▲１▼建物ユニットを基礎もしくは下階建物ユニットに接合するため、建物ユニットの床梁もしくは柱脚部にボルト挿通孔を設けたり、天井梁もしくは柱頭部に螺合部を設ける必要がある。これは、床梁や天井梁に切欠開口部を設けて梁断面性能を脆弱化し、或いは柱にボルト挿通孔や螺合部を設けるための内部加工を施すことを必須とする。また、柱が木質からなる場合には、上述の内部加工を施すことができない。
【０００６】
▲２▼建物ユニットを基礎に据付けるに際しては、建物ユニットの床梁もしくは柱脚部に設けてあるボルト挿通孔を基礎に植設してあるアンカーボルトに嵌合するために、建物ユニットを鉛直に吊り降ろす必要があり、吊り降ろし作業性が悪い。
【０００７】
本発明の課題は、被接合部材の断面性能を脆弱化したり、内部構造を複雑化することなく、第１と第２の被接合部材を並置した状態で支持部材に接合可能とすることにある。
【０００８】
また、本発明の課題は、建物ユニットの構造材の断面性能を脆弱化したり、内部構造を複雑化することなく、第１と第２の建物ユニットを並置した状態で基礎に接合可能とするとともに、建物ユニットの基礎への吊り降ろし作業性を向上することにある。
【０００９】
また、本発明の課題は、建物ユニットの構造材の断面性能を脆弱化したり、内部構造を複雑化することなく、第１と第２の上階建物ユニットを並置した状態で第１と第２の下階建物ユニットに接合可能とすることにある。
【００１６】
【課題を解決するための手段】
請求項１に記載の本発明は、第１と第２の下階建物ユニットを並置し、これら下階建物ユニットのそれぞれの上に第１と第２の上階建物ユニットのそれぞれを搭載し、それら下階建物ユニットにそれら上階建物ユニットを接合してなるユニット建物において、第１と第２の下階建物ユニットのそれぞれの側面にくびれ部付き突起部を設けるとともに、それら下階建物ユニットのそれぞれに設けた各突起部のくびれ部に係着し得る一対の係合部を備えた接合金物を用い、第１と第２の上階建物ユニットのそれぞれの側面にくびれ部付き突起部を設けるとともに、それら上階建物ユニットのそれぞれに設けた各突起部のくびれ部に係着し得る一対の係合部を備えた接合金物を用い、第１と第２の下階建物ユニットの間に接合金物を差し込み、接合金物の両係合部のそれぞれを第１と第２の下階建物ユニットの各突起部のくびれ部に係着するとともに、第１と第２の上階建物ユニットの間に接合金物を差し込み、接合金物の両係合部のそれぞれを第１と第２の上階建物ユニットの各突起部のくびれ部に係着した状態で、それらの両接合金物を連結ボルトで締結してなるようにしたものである。
【００１７】
請求項２に記載の本発明は、請求項１に記載の本発明において更に、前記第１と第２の下階建物ユニットの柱下部に柱脚金物が設けられ、この柱脚金物にくびれ部付き突起部が設けられるとともに、前記第１と第２の下階建物ユニットの柱上部に柱頭金物が設けられ、この柱頭金物にくびれ部付き突起部が設けられてなるようにしたものである。
【００１８】
請求項３に記載の本発明は、請求項２に記載の本発明において更に、前記柱脚金物が前記柱下部に釘打ち固定され、前記柱頭金物が前記柱上部に釘打ち固定されてなるようにしたものである。
【００１９】
請求項４に記載の本発明は、請求項１〜３のいずれかに記載の本発明において更に、前記第１と第２の下階建物ユニットのそれぞれに係着せしめられる接合金物が、該金物下端部に連結ボルト締結面を備え、前記第１と第２の上階建物ユニットのそれぞれに係着せしめられる接合金物が、該金物上端部に連結ボルト締結面を備えてなるようにしたものである。
【００２０】
請求項５に記載の本発明は、請求項１〜４のいずれかに記載の本発明において更に、前記接合金物が、前記突起部の突起部のくびれ部に係着する係合部と、該接合金物の前記差し込み方向の外縁に開口して該突起部のくびれ部を係合部に導入する導入溝とを備えてなるようにしたものである。
【００２８】
請求項１に記載の本発明によれば下記(1) の作用がある。
(1) 第１と第２の下階建物ユニットの側面のくびれ部付き突起部に係着した接合金物と、第１と第２の上階建物ユニットの側面のくびれ部付き突起部に係着した接合金物とを連結ボルトで締結することにより、第１と第２の上階建物ユニットを第１と第２の下階建物ユニットに接合できるものとなる。従って、建物ユニットは、くびれ部付き突起部を側面に備えることだけにより上下階同士を接合し得るものとなり、建物ユニットの構造材の断面性能を脆弱化したり、内部構造を複雑化することを要しない。
【００２９】
請求項２に記載の本発明によれば下記(2) の作用がある。
(2) 上階建物ユニットの側面に設けてあるくびれ部付き突起部が、上階建物ユニットの柱下部に設けられる柱脚金物に設けられる。そして、下階建物ユニットの側面に設けられるくびれ部付き突起部が、下階建物ユニットの柱上部に設けられる柱頭金物に設けられる。従って、建物ユニットの柱が木質からなる場合にも、柱の断面性能を脆弱化したり、内部構造を複雑化することなく、建物ユニットを確実に下階建物ユニットに接合できる。
【００３０】
請求項３に記載の本発明によれば下記(3)の作用がある。
(3)第１と第２の下階建物ユニットのそれぞれの柱上部に設けられる柱頭金物を柱上部に釘打ちにて固定した。これにより、柱頭金物をボルト固定するものに比して、柱頭金物の側面でのボルト頭の突出がなく、両建物ユニットの柱上部に設けた柱頭金物の間に真下から接合金物を差し込みできる。即ち、接合金物の形状を単純化するとともに、その差し込み作業性を向上できる。
【００３１】
また、第１と第２の上階建物ユニットのそれぞれの柱下部に設けられる柱脚金物を柱下部に釘打ちにて固定した。これにより、柱脚金物をボルト固定するものに比して、柱脚金物の側面でのボルト頭の突出がなく、両建物ユニットの柱下部に設けた柱脚金物の間に真上から接合金物を差し込みできる。即ち、接合金物の形状を単純化するとともに、その差し込み作業性を向上できる。
【００３２】
請求項４に記載の本発明によれば下記(4)の作用がある。
(4)第１と第２の下階建物ユニットのそれぞれに係着せしめられる接合金物が該金物下端部に連結ボルト締結面を備えても第１と第２の上階建物ユニットのそれぞれに係着せしめられる接合金物が該金物上端部に連結ボルト締結面を備えた。従って、連結ボルトを、下階側の接合金物の下端部から下方に、上階側の接合金物の上端側から上方に突出させて、それらの突出部でナット締めでき、上下階の両方とも、第１と第２の建物ユニットの側面に挟まれる広いスペース（接合金物の内部スペースより広い）をナット締めのためのスペースとして利用でき、ボルト締結作業性を向上できる。
【００３３】
請求項５に記載の本発明によれば下記(5)の作用がある。
(5)接合金物が、突起部のくびれ部に係着する係合部と、接合金物の前記差し込み方向の外縁に開口して突起部のくびれ部を係合部に導入する導入溝とを備えるものとすることにより、接合金物は単純な構造により建物ユニットの側面に設けたくびれ部付き突起部に簡易に係着し得るものとなる。
【００３４】
【発明の実施の形態】
図１はユニット建物を示す模式図、図２は第１実施形態の基礎への建物ユニットの接合構造を示す模式図、図３は図２の側面図、図４は図２の平面図、図５は第１実施形態の下階建物ユニットへの上階建物ユニットの接合構造を示す模式図、図６は図５の側面図、図７は柱脚金物を示す模式図、図８は接合金物を示す模式図、図９は第２実施形態の基礎への建物ユニットの接合構造を示す模式図、図１０は図９の側面図、図１１は図９の平面図、図１２は第２実施形態の下階建物ユニットへの上階建物ユニットの接合構造を示す模式図、図１３は図１２の側面図、図１４は柱脚金物を示す模式図、図１５は柱頭金物を示す模式図、図１６は接合金物を示す模式図、図１７は連結ボルトを示す模式図、図１８はジョイントスペーサを示す模式図である。
【００３５】
（第１実施形態）（図１〜図８）
ユニット建物１０は、図１に示す如く、基礎１の上に複数の建物ユニット１１を据付けて構築したものである。
【００３６】
（建物ユニット１１）
建物ユニット１１は、床構造体の上部に壁構造体を立設するに際し、軸組方式と耐力壁方式とを混用したものである。建物ユニット１１の壁構造体１２は、壁パネル１３の枠組材の側部に柱１４を釘打ち等により一体結合して構成され、柱１４の下部には柱脚金物２０が、柱１４の上部には柱頭金物３０がボルト結合されている。
【００３７】
柱脚金物２０は、図７に示す如く、柱１４の下部に挿着されるＵ字状の側板２１と、側板２１の底部に抱きかかえられる如くに溶接された底板２２と、側板２１の一方の側面に溶接されたくびれ部付き突起部２３とを有している。側板２１の両側部にはボルト挿通孔２１Ａ、側板２１の底部と底板２２にはガイドピン挿通孔２２Ａが設けられている。くびれ部付き突起部２３は、頭部２３Ａとくびれ部２３Ｂとを備える。柱脚金物２０は、柱１４の下部に挿着され、側板２１のボルト挿通孔２１Ａに挿通されるボルト２４により柱１４に固定される。
【００３８】
柱頭金物３０も、柱脚金物２０と実質的に同一に構成され、柱１４の上部に挿着されるＵ字状の側板３１と、側板３１の天部に抱きかかえられる如くに溶接された天板３２と、側板３１の一方の側面に溶接されたくびれ部付き突起部３３とを有している。側板３１の両側部にはボルト挿通孔３１Ａが設けられ、側板３１の天部には裏ナット３１Ｂが溶接され、この裏ナット３１Ｂにガイドピン３１Ｃが螺着可能とされている。くびれ部付き突起部３３は、頭部３３Ａとくびれ部３３Ｂとを備える。柱頭金物３０は、柱１４の上部に挿着され、側板３１のボルト挿通孔３１Ａに挿通されるボルト３４により柱１４に固定される。
【００３９】
（基礎１への建物ユニット１１の接合構造）
第１と第２の建物ユニット１１、１１を並置した状態で基礎１に接合するため、図８の接合金物４０が用いられる。接合金物４０は、基礎１の上に並置された建物ユニット１１、１１の相対する柱１４、１４のそれぞれに設けられている柱脚金物２０、２０の間に差し込まれて添設されるＵ字板４１と、Ｕ字板４１の一側部に架け渡される補強板４２とを有している。Ｕ字板４１の相対する垂直板４１Ａのそれぞれには小径係合部４３と小径導入溝４４Ａが、補強板４２には大径導入溝４４Ｂが設けられ、Ｕ字板４１の水平板４１Ｂにはボルト挿通孔４５が設けられている。接合金物４０の小径係合部４３、小径導入溝４４Ａ、大径導入溝４４Ｂは互いに連通し、小径導入溝４４Ａ、大径導入溝４４Ｂは接合金物４０の前記差し込み方向の外縁に開口してくびれ部付き突起部２３の頭部２３Ａ、くびれ部２３Ｂのそれぞれを通して、くびれ部２３Ｂを小径係合部４３に導入して該小径係合部４３に係着せしめる。
【００４０】
即ち、第１と第２の建物ユニット１１、１１は以下の構造により基礎１に接合される（図２〜図４）。
(1) 第１と第２の建物ユニット１１、１１が順に基礎１の上に吊り降ろされて据付けられる。両建物ユニット１１、１１は一定の間隔を介するように並置される。このとき、建物ユニット１１の柱１４の柱脚金物２０が備えるガイドピン挿通孔２２Ａが基礎１に設けてあるガイドピン３に嵌合してガイドされる。
【００４１】
(2) 第１と第２の建物ユニット１１、１１の相対する柱１４、１４のそれぞれに設けてある柱脚金物２０、２０の間に接合金物４０を差し込み、接合金物４０の相対する垂直板４１Ａのそれぞれに設けてある小径係合部４３をそれら建物ユニット１１、１１の柱１４の柱脚金物２０が備えるくびれ部付き突起部２３のくびれ部２３Ｂに係着する。このとき、接合金物４０は、補強板４２の大径導入溝４４Ｂにくびれ部付き突起部２３の頭部２３Ａを通してくびれ部２３Ｂを垂直板４１Ａの小径導入溝４４Ａに通し、このくびれ部２３Ｂを小径導入溝４４Ａから垂直板４１Ａの小径係合部４３に導入するものとする。
【００４２】
(3) 接合金物４０のボルト挿通孔４５を基礎１のアンカーボルト２に挿通し、アンカーボルト２と接合金物４０とをナット２Ａで締結する。このとき、必要により、基礎１と接合金物４０の水平板４１Ｂとの間にスペーサ４６を介装する。
【００４３】
（下階建物ユニット１１Ａへの上階建物ユニット１１Ｂの接合構造）
第１と第２の上階建物ユニット１１Ｂ、１１Ｂを並置した状態で第１と第２の下階建物ユニット１１Ａ、１１Ａに接合するに際しても、図８の接合金物４０が用いられる。このとき、下階建物ユニット１１Ａ側に係着される接合金物４０を４０Ａとし、上階建物ユニット１１Ｂ側に係着される接合金物４０を４０Ｂとする。
【００４４】
即ち、第１と第２の下階建物ユニット１１Ａ、１１Ａと第１と第２の上階建物ユニット１１Ｂ、１１Ｂは以下の構造により接合される（図５、図６）。
(1) 第１と第２の下階建物ユニット１１Ａ、１１Ａの上に第１と第２の上階建物ユニット１１Ｂ、１１Ｂを順に吊り降ろして据付ける。このとき、下階建物ユニット１１Ａ、１１Ａの柱１４の柱頭金物３０と、上階建物ユニット１１Ｂ、１１Ｂの柱１４の柱脚金物２０との間にジョイントスペーサ１０１が介装される。そして、上階建物ユニット１１Ｂの柱１４の柱脚金物２０が備えるガイドピン挿通孔２２Ａが、下階建物ユニット１１Ａの柱１４の柱頭金物３０に設けてあるガイドピン３１Ｃに嵌合してガイドされる。
【００４５】
(2) 第１と第２の下階建物ユニット１１Ａ、１１Ａの相対する柱１４、１４のそれぞれに設けてある柱頭金物３０、３０の間に接合金物４０Ａを差し込み、それら柱脚金物３０が備えるくびれ部付き突起部３３のくびれ部３３Ｂに接合金物４０Ａの相対する垂直板４１Ａのそれぞれに設けてある小径係合部４３を係着する。このとき、接合金物４０Ａは、補強板４２の大径導入溝４４Ｂにくびれ部付き突起部３３の頭部３３Ａを通してくびれ部３３Ｂを垂直板４１Ａの小径導入溝４４Ａに通し、このくびれ部３３Ｂを小径導入溝４４Ａから垂直板４１Ａの小径係合部４３に導入するものとする。
【００４６】
また、第１と第２の上階建物ユニット１１Ｂ、１１Ｂの相対する柱１４、１４のそれぞれに設けてある柱脚金物２０、２０の間に接合金物４０Ｂを差し込み、それら柱脚金物２０が備えるくびれ部付き突起部２３のくびれ部２３Ｂに接合金物４０Ｂの相対する垂直板４１Ａのそれぞれに設けてある小径係合部４３を係着する。このとき、接合金物４０Ｂは、補強板４２の大径導入溝４４Ｂにくびれ部付き突起部２３の頭部２３Ａを通してくびれ部２３Ｂを通し、このくびれ部２３Ｂを垂直板４１Ａの小径導入溝４４Ａに通し、このくびれ部２３Ｂを小径導入溝４４Ａから垂直板４１Ａの小径係合部４３に導入するものとする。
【００４７】
(3) 接合金物４０Ａのボルト挿通孔４５、ジョイントスペーサ１０１のボルト挿通孔１０１Ａ、接合金物４０Ｂのボルト挿通孔４５に連結ボルト１０２を挿通し、接合金物４０Ａとジョイントスペーサ１０１と接合金物４０Ｂをナット１０２Ａで締結する。このとき、必要により、ジョイントスペーサ１０１と接合金物４０Ｂの水平板４１Ｂとの間にスペーサ１０３を介装する。
【００４８】
従って、本実施形態によれば以下の作用がある。
▲１▼第１と第２の建物ユニット１１、１１の間に接合金物４０を差し込み、それらの建物ユニット１１、１１の側面に設けたくびれ部付き突起部２３に接合金物４０の係合部４３を係着し、該接合金物４０を基礎１のアンカーボルト２に固定することにより、第１と第２の建物ユニット１１、１１を並置した状態で基礎に接合できるものとなる。従って、建物ユニット１１は、くびれ部付き突起部２３を側面に備えることだけにより基礎１に接合され得るものとなり、建物ユニット１１の構造材の断面性能を脆弱化したり、内部構造を複雑化することを要しない。
【００４９】
▲２▼第１と第２の建物ユニット１１、１１を基礎１に据付けるに際して、第１と第２の建物ユニット１１、１１の床梁もしくは柱脚部は単に基礎１の上に並置されて載置され、その後、第１と第２の建物ユニット１１、１１の間に接合金物４０を差し込み、それらの建物ユニット１１、１１の側面のくびれ部付き突起部２３に接合金物４０を係着し、この接合金物４０をアンカーボルト２に挿通して係着するものとなる。このため、建物ユニット１１の吊り降ろし時に、建物ユニット１１に設けてあるボルト挿通孔をアンカーボルト２に嵌合せしめるように鉛直に吊り降ろすことを必要とせず、建物ユニット１１の吊り降ろし作業性を向上できる。
【００５０】
▲３▼建物ユニット１１の側面に設けられるくびれ部付き突起部２３が、建物ユニット１１の柱下部に設けられる柱脚金物２０に設けられる。従って、建物ユニット１１の柱１４が木質からなる場合にも、柱１４の断面性能を脆弱化したり、内部構造を複雑化することなく、建物ユニット１１を確実に基礎に接合できる。
【００５１】
▲４▼第１と第２の下階建物ユニット１１Ａ、１１Ａの側面のくびれ部付き突起部３３に係着した接合金物４０Ａと、第１と第２の上階建物ユニット１１Ｂ、１１Ｂの側面のくびれ部付き突起部２３に係着した接合金物４０Ｂとを連結ボルト５２で締結することにより、第１と第２の上階建物ユニット１１Ｂ、１１Ｂを第１と第２の下階建物ユニット１１Ａ、１１Ａに接合できるものとなる。従って、建物ユニット１１は、くびれ部付き突起部２３、３３を側面に備えることだけにより上下階同士を接合し得るものとなり、建物ユニット１１の構造材の断面性能を脆弱化したり、内部構造を複雑化することを要しない。
【００５２】
▲５▼上階建物ユニット１１Ｂの側面に設けてあるくびれ部付き突起部２３が、上階建物ユニット１１Ｂの柱下部に設けられる柱脚金物２０に設けられる。そして、下階建物ユニット１１Ａの側面に設けられるくびれ部付き突起部３３が、下階建物ユニット１１Ａの柱上部に設けられる柱頭金物３０に設けられる。従って、建物ユニット１１の柱１４が木質からなる場合にも、柱１４の断面性能を脆弱化したり、内部構造を複雑化することなく、建物ユニットを確実に下階建物ユニットに接合できる。
【００５３】
▲６▼接合金物４０が、突起部２３、３３のくびれ部２３Ｂ、３３Ｂに係着する係合部４３と、接合金物４０の前記差し込み方向の外縁に開口して突起部２３、３３のくびれ部２３Ｂ、３３Ｂを係合部４３に導入する導入溝４４Ａ、４４Ｂとを備えるものとすることにより、接合金物４０は単純な構造により建物ユニット１１の側面に設けたくびれ部付き突起部２３、３３に簡易に係着し得るものとなる。
【００５４】
（第２実施形態）（図９〜図１８）
第２実施形態のユニット建物１０も、第１実施形態と同様に、複数の建物ユニット１１を据付けて構築したものであり、建物ユニット１１の柱１４の下部には柱脚金物５０が、柱１４の上部には柱頭金物６０が結合されている。
【００５５】
柱脚金物５０は、図１４に示す如く、柱１４の下部に挿着されるＵ字状の側板５１と、側板５１の底部に抱きかかえられる如くに溶接された底板５２と、側板５１の一方の側面に溶接されたくびれ部付き突起部５３とを有している。側板５１の両側部には必要により釘挿通孔５１Ａが設けられ、側板５１の底部と底板５２にはガイドピン挿通孔５２Ａが設けられている。くびれ部付き突起部５３は、頭部５３Ａとくびれ部５３Ｂとを備える。柱脚金物５０は、柱１４の下部に挿着され、側板５１の釘挿通孔５１Ａに打込まれる釘５４により柱１４に固定される。
【００５６】
柱頭金物６０も、図１５に示す如く、柱脚金物５０と実質的に同一に構成され、柱１４の上部に挿着されるＵ字状の側板６１と、側板６１の天部に抱きかかえられる如くに溶接された天板６２と、側板６１の一方の側面に溶接されたくびれ部付き突起部６３とを有している。側板６１の両側部には必要により釘挿通孔６１Ａが設けられ、側板６１の天部には裏ナット６１Ｂが溶接され、この裏ナット６１Ｂにガイドピン６１Ｃが螺着可能とされている。くびれ部付き突起部６３は、頭部６３Ａとくびれ部６３Ｂとを備える。柱頭金物６０は、柱１４の上部に挿着され、側板６１の釘挿通孔６１Ａに挿通される釘６４により柱１４に固定される。
【００５７】
（基礎１への建物ユニット１１の接合構造）
第１と第２の建物ユニット１１、１１を並置した状態で基礎１に接合するため、図１６の接合金物７０が用いられる。接合金物７０は、基礎１の上に並置された建物ユニット１１、１１の相対する柱１４、１４のそれぞれに設けられている柱脚金物５０、５０の間に差し込まれて添設されるＵ字板７１と、Ｕ字板７１の両側部に架け渡される補強板７２とを有している。Ｕ字板７１の相対する垂直板７１Ａのそれぞれには係合部７３と導入溝７４Ａが設けられ、Ｕ字板７１の水平板７１Ｂにはボルト挿通孔７５が設けられている。接合金物７０の係合部７３、導入溝７４Ａは互いに連通し、導入溝７４Ａは接合金物７０の前記差し込み方向の外縁に開口してくびれ部付き突起部５３のくびれ部５３Ｂを通して、くびれ部５３Ｂを係合部７３に導入して該係合部７３に係着せしめる。
【００５８】
即ち、第１と第２の建物ユニット１１、１１は以下の構造により基礎１に接合される（図９〜図１１）。
(1) 第１と第２の建物ユニット１１、１１が順に基礎１の上に吊り降ろされて据付けられる。両建物ユニット１１、１１は一定の間隔を介するように並置される。このとき、建物ユニット１１の柱１４の柱脚金物５０が備えるガイドピン挿通孔５２Ａが基礎１に設けてあるガイドピン３に嵌合してガイドされる。
【００５９】
(2) 第１と第２の建物ユニット１１、１１の相対する柱１４、１４のそれぞれに設けてある柱脚金物５０、５０の間に接合金物７０を差し込み、接合金物７０の水平板７１Ｂの表面が形成するアンカーボルト締結面７１Ｃをその上端部とする姿勢を付与する状態で、接合金物７０の相対する垂直板７１Ａのそれぞれに設けてある係合部７３をそれら建物ユニット１１、１１の柱１４の柱脚金物５０が備えるくびれ部付き突起部５３のくびれ部５３Ｂに係着する。このとき、接合金物７０は、くびれ部付き突起部５３のくびれ部５３Ｂを垂直板７１Ａの導入溝７４Ａに通し、このくびれ部５３Ｂを導入溝７４Ａから垂直板７１Ａの係合部７３に導入するものとする。
【００６０】
(3) 接合金物７０のボルト挿通孔７５を基礎１のアンカーボルト２に挿通し、アンカーボルト２と接合金物７０とをナット２Ａで締結する。
【００６１】
（下階建物ユニット１１Ａへの上階建物ユニット１１Ｂの接合構造）
第１と第２の上階建物ユニット１１Ｂ、１１Ｂを並置した状態で第１と第２の下階建物ユニット１１Ａ、１１Ａに接合するに際しても、図１６の接合金物７０が用いられる。このとき、下階建物ユニット１１Ａ側に係着される接合金物７０を７０Ａとし、上階建物ユニット１１Ｂ側に係着される接合金物７０を７０Ｂとする。
【００６２】
即ち、第１と第２の下階建物ユニット１１Ａ、１１Ａと第１と第２の上階建物ユニット１１Ｂ、１１Ｂは以下の構造により接合される（図１２、図１３）。
(1) 第１と第２の下階建物ユニット１１Ａ、１１Ａの上に第１と第２の上階建物ユニット１１Ｂ、１１Ｂを順に吊り降ろして据付ける。このとき、下階建物ユニット１１Ａ、１１Ａの柱１４の柱頭金物６０と、上階建物ユニット１１Ｂ、１１Ｂの柱１４の柱脚金物５０との間に図１８に示したジョイントスペーサ８１が介装される。そして、上階建物ユニット１１Ｂの柱１４の柱脚金物５０が備えるガイドピン挿通孔５２Ａが、下階建物ユニット１１Ａの柱１４の柱頭金物６０に設けてあるガイドピン６１Ｃに嵌合してガイドされる。このとき、ガイドピン６１Ｃは、ジョイントスペーサ８１の両側のピン挿通孔８１Ａ、８１Ａを貫通する。
【００６３】
(2) ジョイントスペーサ８１の中央のボルト挿通孔８１Ｂに、図１７に示す連結ボルト９１を上階側から挿通する。このとき、連結ボルト９１は長手方向の中央に大径突条部９１Ａを備え、この突条部９１Ａをジョイントスペーサ８１のボルト挿通孔８１Ｂに係止せしめられる。
【００６４】
(3) 第１と第２の下階建物ユニット１１Ａ、１１Ａの相対する柱１４、１４のそれぞれに設けてある柱頭金物６０、６０の間に接合金物７０Ａを差し込み、接合金物７０の水平板７１Ｂの表面が形成する連結ボルト締結面７１Ｃをその下端部とする姿勢を付与する状態で、それら柱頭金物６０が備えるくびれ部付き突起部６３のくびれ部６３Ｂに接合金物７０Ａの相対する垂直板７１Ａのそれぞれに設けてある係合部７３を係着する。このとき、接合金物７０Ａは、くびれ部付き突起部６３のくびれ部６３Ｂを垂直板７１Ａの導入溝７４Ａに通し、このくびれ部６３Ｂを導入溝７４Ａから垂直板７１Ａの係合部７３に導入するものとする。このとき、接合金物７０Ａの水平板７１Ｂに設けてあるボルト挿通孔７５を前記(2) の連結ボルト９１の下端ねじ部に通し、連結ボルト９１のこの突出ねじ部にナット９２Ａを仮止めしておく。
【００６５】
(4) 第１と第２の上階建物ユニット１１Ｂ、１１Ｂの相対する柱１４、１４のそれぞれに設けてある柱脚金物５０、５０の間に接合金物７０Ｂを差し込み、接合金物７０の水平板７１Ｂの表面が形成する連結ボルト締結面７１Ｃをその上端部とする姿勢を付与する状態で、それら柱脚金物５０が備えるくびれ部付き突起部５３のくびれ部５３Ｂに接合金物７０Ｂの相対する垂直板７１Ａのそれぞれに設けてある係合部７３を係着する。このとき、接合金物７０Ｂは、くびれ部付き突起部５３のくびれ部５３Ｂを垂直板７１Ａの導入溝７４Ａに通し、このくびれ部５３Ｂを導入溝７４Ａから垂直板７１Ａの係合部７３に導入するものとする。このとき、接合金物７０Ｂの水平板７１Ｂに設けてあるボルト挿通孔７５を前記(2) の連結ボルト９１の上端ねじ部に通し、連結ボルト９１のこの突出ねじ部にナット９２Ｂを仮止めしておく。
【００６６】
(5) 接合金物７０Ａとジョイントスペーサ８１と接合金物７０Ｂに貫通している連結ボルト９１の両端ねじ部に仮止めしたナット９２Ａ、９２Ｂを締結する。
【００６７】
従って、第２実施形態によれば、第１実施形態の柱脚金物２０、柱頭金物３０、接合金物４０と同様の柱脚金物５０、柱頭金物６０、接合金物７０を用いたことから、第１実施形態において前述した▲１▼〜▲５▼の作用と実質的に同様の作用を有するとともに、第１実施形態では格別の下記(a) 〜(d) の作用を有する。
【００６８】
(a) 第１と第２の建物ユニット１１、１１のそれぞれの柱下部に設けられる柱脚金物５０を柱下部に釘打ちにて固定した。これにより、柱脚金物５０をボルト固定するものに比して、柱脚金物５０の側面でのボルト頭の突出がなく、両建物ユニット１１、１１の柱下部に設けた柱脚金物５０の間に真上から接合金物７０を差し込みできる。即ち、接合金物７０の形状を単純化するとともに、その差し込み作業性を向上できる。
【００６９】
(b) 第１と第２の建物ユニット１１、１１のそれぞれに係着せしめられる接合金物７０が該金物上端部にアンカーボルト締結面７１Ｃを備えた。従って、アンカーボルト２を接合金物７０の上端部から上方に突出させて、この突出部でナット締めでき、第１と第２の建物ユニット１１、１１の側面に挟まれる広いスペース（接合金物７０の内部スペースより広い）をナット締めのためのスペースとして使用でき、ボルト締結作業性を向上できる。
【００７０】
(c) 第１と第２の下階建物ユニット１１Ａ、１１Ａのそれぞれの柱上部に設けられる柱頭金物６０を柱上部に釘打ちにて固定した。これにより、柱頭金物６０をボルト固定するものに比して、柱頭金物６０の側面でのボルト頭の突出がなく、両建物ユニット１１Ａ、１１Ａの柱上部に設けた柱頭金物６０の間に真下から接合金物７０を差し込みできる。即ち、接合金物７０の形状を単純化するとともに、その差し込み作業性を向上できる。
【００７１】
また、第１と第２の上階建物ユニット１１Ｂ、１１Ｂのそれぞれの柱下部に設けられる柱脚金物５０を柱下部に釘打ちにて固定した。これにより、柱脚金物５０をボルト固定するものに比して、柱脚金物５０の側面でのボルト頭の突出がなく、両建物ユニット１１Ｂ、１１Ｂの柱下部に設けた柱脚金物５０の間に真上から接合金物７０を差し込みできる。即ち、接合金物７０の形状を単純化するとともに、その差し込み作業性を向上できる。
【００７２】
(d) 第１と第２の下階建物ユニット１１Ａ、１１Ａのそれぞれに係着せしめられる接合金物７０Ａが該金物下端部に連結ボルト締結面７１Ｃを備えても第１と第２の上階建物ユニット１１Ｂ、１１Ｂのそれぞれに係着せしめられる接合金物７０Ｂが該金物上端部に連結ボルト締結面７１Ｃを備えた。従って、連結ボルト９１を、下階側の接合金物７０Ａの下端部から下方に、上階側の接合金物７０Ｂの上端側から上方に突出させて、それらの突出部でナット締めでき、上下階の両方とも、第１と第２の建物ユニット１１Ａ、１１Ａ（１１Ｂ、１１Ｂ）の側面に挟まれる広いスペース（接合金物７０の内部スペースより広い）をナット締めのためのスペースとして利用でき、ボルト締結作業性を向上できる。
【００７３】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明は建物ユニットを被接合部材とし、基礎もしくは下階建物ユニットを支持部材とするものに限らず、広く一般の接合構造に適用できる。
【００７４】
また、本発明は建物ユニットが床構造体に柱を接合した軸組式のもの、床構造体に壁パネルを接合した壁式のものにも適用できる。
【００７７】
【発明の効果】
以上のように本発明によれば、建物ユニットの構造材の断面性能を脆弱化したり、内部構造を複雑化することなく、第１と第２の上階建物ユニットを並置した状態で第１と第２の下階建物ユニットに接合可能とすることができる。
【図面の簡単な説明】
【図１】図１はユニット建物を示す模式図である。
【図２】図２は基礎への建物ユニットの接合構造を示す模式図である。
【図３】図３は図２の側面図である。
【図４】図４は図２の平面図である。
【図５】図５は下階建物ユニットへの上階建物ユニットの接合構造を示す模式図である。
【図６】図６は図５の側面図である。
【図７】図７は柱脚金物を示す模式図である。
【図８】図８は接合金物を示す模式図である。
【図９】図９は第２実施形態の基礎への建物ユニットの接合構造を示す模式図である。
【図１０】図１０は図９の側面図である。
【図１１】図１１は図９の平面図である。
【図１２】図１２は第２実施形態の下階建物ユニットへの上階建物ユニットの接合構造を示す模式図である。
【図１３】図１３は図１２の側面図である。
【図１４】図１４は柱脚金物を示す模式図である。
【図１５】図１５は柱頭金物を示す模式図である。
【図１６】図１６は接合金物を示す模式図である。
【図１７】図１７は連結ボルトを示す模式図である。
【図１８】図１８はジョイントスペーサを示す模式図である。
【符号の説明】
１  基礎
２  アンカーボルト
１０  ユニット建物
１１  建物ユニット
１１Ａ  下階建物ユニット
１１Ｂ  上階建物ユニット
１４  柱
２０、５０  柱脚金物
２３、５３  くびれ部付き突起部
２３Ａ、５３Ａ  頭部
２３Ｂ、５３Ｂ  くびれ部
３０、６０  柱頭金物
３３、６３  くびれ部付き突起部
３３Ａ、６３Ａ  頭部
３３Ｂ、６３Ｂ  くびれ部
４０、４０Ａ、４０Ｂ、７０、７０Ａ、７０Ｂ  接合金物
４３、７３  係合部
４４Ａ、４４Ｂ、７４Ａ  導入溝
５２、９１  連結ボルト
７１Ｃ  ボルト締結面
【図１】
0003735198.tif 000002
【図２】
0003735198.tif 000003
【図３】
0003735198.tif 000004
【図４】
0003735198.tif 000005
【図５】
0003735198.tif 000006
【図６】
0003735198.tif 000007
【図７】
0003735198.tif 000008
【図８】
0003735198.tif 000009
【図９】
0003735198.tif 000010
【図１０】
0003735198.tif 000011
【図１１】
0003735198.tif 000012
【図１２】
0003735198.tif 000013
【図１３】
0003735198.tif 000014
【図１４】
0003735198.tif 000015
【図１５】
0003735198.tif 000016
【図１６】
0003735198.tif 000017
【図１７】
0003735198.tif 000018
【図１８】
0003735198.tif 000019